(57)【要約】【課題】防水パン及び壁パネルという異なる厚さの部材を上下方向に接続したユニットバスにおける浴槽固定構造を提供する。【解決手段】壁パネルを載置可能な平面と、該平面の外縁から上方へ立設され、壁パネル背面を支持する立ち上がり部とを有し、上記平面の上記浴槽に対向する側面が該浴槽側へと膨出して形成された浴槽載置部側部と、上記浴槽載置部側部上に、上記立ち上がり部に背面が当接されて立設される壁パネルと、板材を折曲して構成され、中央において凸状に形成され、上記壁パネルに当接され上記立ち上がり部と協働して該壁パネルを挟持する凸部と、該凸部の下端部から、上記壁パネルの下方に位置する浴槽載置部側部の頂部に当接係合する形状に延設された係合部と、上記凸部の上端部から、上記壁パネルとの間で上記リムを嵌挿可能な形状に延設されたリム受け部とを有するバックハンガーとを備える。【選択図】  図５
2006192207.tif 000002
【特許請求の範囲】
【請求項１】
入浴者が洗髪洗体を行うことができる洗い場部と、上端周囲が外方へ拡開延出するリムを有する浴槽と、該浴槽が載置される底部と該浴槽の上記洗い場部側を除く３側面を掩蔽する側部とを有する浴槽載置部と、上記洗い場部の外縁及び上記浴槽載置部上端に固定され壁面を構成する壁パネルとを有するユニットバスの浴槽固定構造において、
上記壁パネルを載置可能な平面と、該平面の外縁から上方へ立設され、壁パネル背面を支持する立ち上がり部とを有し、上記平面の上記浴槽に対向する側面が該浴槽側へと膨出して形成された浴槽載置部側部と、
上記浴槽載置部側部上に、上記立ち上がり部に背面が当接されて立設される壁パネルと、
板材を折曲して構成され、中央において凸状に形成され、上記壁パネルに当接され上記立ち上がり部と協働して該壁パネルを挟持する凸部と、該凸部の下端部から、上記壁パネルの下方に位置する浴槽載置部側部の頂部に当接係合する形状に延設された係合部と、上記凸部の上端部から、上記壁パネルとの間で上記リムを嵌挿可能な形状に延設されたリム受け部とを有するバックハンガーと、
を備えることを特徴とする浴槽固定構造。
【請求項２】
ユニットバスに設置された浴槽の上端周囲が外方へ拡開延出するリムと、該浴槽のリム端部に当接する壁パネルとを結合するバックハンガーにおいて、
板材を折曲して構成され、中央において上記壁パネルに当接させるべく該壁パネル側に凸状となるように形成された凸部と、
該凸部の下端部から、上記壁パネルの下方に位置する浴槽載置部側部の頂部に当接係合する形状に延設された係合部と、
上記凸部の上端部から、上記壁パネルとの間で上記リムを嵌挿可能な形状に延設されたリム受け部と、
を備えることを特徴とするバックハンガー。
【請求項３】
入浴者が洗髪洗体を行うことができる洗い場部と、上端周囲が外方へ拡開延出するリムを有する浴槽と、該浴槽が載置される底部と該浴槽の上記洗い場部側を除く３側面を掩蔽する側部とを有する浴槽載置部と、上記洗い場部の外縁及び上記浴槽載置部上端に固定され壁面を構成する壁パネルとを有するユニットバスの浴槽固定構造において、
上記壁パネルを載置可能な平面と、該平面の外縁から上方へ立設され、壁パネル背面を支持する立ち上がり部とを有し、上記平面の上記浴槽に対向する側面が該浴槽側へと膨出して形成された浴槽載置部側部と、
上記浴槽載置部側部上に、上記立ち上がり部に背面が当接されて立設される壁パネルと、
板材を折曲して構成され、上記壁パネルの下方に位置する浴槽載置部側部の頂部に当接係合する形状に形成された係合部と、該係合部の上端部から、上記壁パネルとの間で上記リムを嵌挿可能な形状に延設されたリム受け部とを有するバックハンガーと、
を備えることを特徴とする浴槽固定構造。
【請求項４】
ユニットバスに設置された浴槽の上端周囲が外方へ拡開延出するリムと、該浴槽のリム端部に当接する壁パネルとを結合するバックハンガーにおいて、
板材を折曲して構成され、上記壁パネルの下方に位置する浴槽載置部側部の頂部に当接係合する形状に延設された係合部と、
該係合部の上端部から、上記壁パネルとの間で上記リムを嵌挿可能な形状に延設されたリム受け部と、
を備えることを特徴とするバックハンガー。
【発明の詳細な説明】
【技術分野】
【０００１】
本発明は、ユニットバスにおける浴槽の固定構造に係り、特に浴槽が載置される側の防水パン端部が浴槽リム近傍まで延出立設されたユニットバスにおける浴槽固定構造に関する。また、本発明は、斯かる浴槽固定構造に用いられるバックハンガーに関する。
【背景技術】
【０００２】
フルパン構造と呼ばれるユニットバスは、床全面に架台を介して敷設された防水パン上に浴槽を載置し、壁パネルも防水パン外縁上に周設される構造を有するものである。
【０００３】
このフルパン方式のユニットバスにおいて、浴槽は、バックハンガーと呼ばれる金具等を壁パネル等の所定の位置・高さに取り付け、この金具等にＬ字型に屈曲して突設された係止部に、浴槽上端から外方へ拡開しその先端がさらに下方へ延出したリム端部を嵌挿して据え付けられる。このバックハンガーは、防水パン外縁部の立ち上がりが小さいものでは壁パネルに取り付けられ（例えば、特許文献１参照。）、外縁部が浴槽のリムより高い位置まで延出しているものではこの防水パン立ち上がりに取り付けられる（例えば、特許文献２参照。）。
【０００４】
これにより、浴槽ががたつくことなく浴槽載置部に固定されるとともに、浴槽外縁部と壁パネルとの間の間隙が小さくなり、この間隙に目地材を挿入する、或いはシリコンコーキング材を打つことにより、例えば浴槽の溢れ湯等がこの間隙を伝って浴槽載置部へ漏水することが防止される。
【０００５】
また逆に壁パネルも、浴槽という剛体に結合されることにより、壁面を前後へ押したり引いたりする横方向の力に対して強度を増すことができる。このように、バックハンガーを介して浴槽と壁パネル又は防水パンを結合することにより、それぞれの弱点が補われている。
【０００６】
一方、防水パンは、従来、繊維強化材を配合した熱硬化性プラスチック（ＦＲＰ）をシート状にしたシートモールディングコンパウンド（ＳＭＣ）や、塊状にしたバルクモールディングコンパウンド（ＢＭＣ）を用いて圧縮成形法により形成される等、一定以上の強度及び硬度を有する材料を用いて成型されてきた（ＪＩＳ  Ａ  ４４１９）。
【特許文献１】特開２００４−２０１７４８号公報
【特許文献２】特開２０００−４５３４９号公報
【発明の開示】
【発明が解決しようとする課題】
【０００７】
ところで、この防水パンの材料として、特殊な機能、例えば気泡発生装置の騒音を低減する遮音機能や浴槽に溜められた湯の温度低下を遅らせる断熱機能を有する、上記以外の材料、例えば発泡ポリプロピレンや発泡スチロール等を採用したい場合がある。この場合、これらの材料は採用された目的からして、浴槽の周囲を囲う必要があり、そのため防水パン外縁から浴槽の浴槽エプロン側を除く三側面では、防水パンが浴槽のリム近傍まで延出立設される。
【０００８】
ところが、上述した機能性材料を防水パンとして採用する場合、浴槽のリム近傍において、防水パンとその上端に立設される壁パネルという、強度も厚さも異なる２つの部材を連結する必要がある。
【０００９】
すなわち、従来の構造では、壁部は防水パンの床から天井まで一つの部材で形成されている、或いは防水パン及び壁パネルの２つの部材で構成される場合であっても、防水パン自体に強度があるので、壁面を前後へ押したり引いたりする横方向の力に対してもある程度の強度を有していた。
【００１０】
これに対し、機能性材料を防水パンとして採用した場合、材料自体の強度が十分でないのでこれらの力に対抗することができず、例えば防水パンの立ち上がり根本が破損する虞がある。したがって、何らかの方法でこれらを剛に接合する必要がある。
【００１１】
また、防水パン及び壁パネルの厚さが異なることから、平板にＬ型の係合部を突設させただけの従来のバックハンガーを用いることができない。
【００１２】
本発明は、上述した事情を考慮してなされたもので、防水パン及び壁パネルという異なる厚さの部材を上下方向に接続したユニットバスにおける浴槽固定構造及びこの構造に用いられるバックハンガーを提供することを目的とするものである。
【００１３】
本発明の他の目的は、上下方向に接続された防水パンと壁パネルとを、曲げに対しても剛に固定する固定構造を提供することにある。
【課題を解決するための手段】
【００１４】
本発明に係る浴槽固定構造は、上述した課題を解決するために、請求項１に記載したように、入浴者が洗髪洗体を行うことができる洗い場部と、上端周囲が外方へ拡開延出するリムを有する浴槽と、該浴槽が載置される底部と該浴槽の上記洗い場部側を除く３側面を掩蔽する側部とを有する浴槽載置部と、上記洗い場部の外縁及び上記浴槽載置部上端に固定され壁面を構成する壁パネルとを有するユニットバスの浴槽固定構造において、上記壁パネルを載置可能な平面と、該平面の外縁から上方へ立設され、壁パネル背面を支持する立ち上がり部とを有し、上記平面の上記浴槽に対向する側面が該浴槽側へと膨出して形成された浴槽載置部側部と、上記浴槽載置部側部上に、上記立ち上がり部に背面が当接されて立設される壁パネルと、板材を折曲して構成され、中央において凸状に形成され、上記壁パネルに当接され上記立ち上がり部と協働して該壁パネルを挟持する凸部と、該凸部の下端部から、上記壁パネルの下方に位置する浴槽載置部側部の頂部に当接係合する形状に延設された係合部と、上記凸部の上端部から、上記壁パネルとの間で上記リムを嵌挿可能な形状に延設されたリム受け部とを有するバックハンガーとを備えるものである。
【００１５】
そして、上述した課題を解決するために、請求項２に係るバックハンガーは、ユニットバスに設置された浴槽の上端周囲が外方へ拡開延出するリムと、該浴槽のリム端部に当接する壁パネルとを結合するバックハンガーにおいて、板材を折曲して構成され、中央において上記壁パネルに当接させるべく該壁パネル側に凸状となるように形成された凸部と、該凸部の下端部から、上記壁パネルの下方に位置する浴槽載置部側部の頂部に当接係合する形状に延設された係合部と、上記凸部の上端部から、上記壁パネルとの間で上記リムを嵌挿可能な形状に延設されたリム受け部とを備えるものである。
【００１６】
また、このバックハンガーは、請求項３及び４に記載したように、板材を折曲して構成され、上記壁パネルの下方に位置する浴槽載置部側部の頂部に当接係合する形状に延設された係合部と、該係合部の上端部から、上記壁パネルとの間で上記リムを嵌挿可能な形状に延設されたリム受け部とを備える構成とすることも可能である。
【発明の効果】
【００１７】
本発明に係る浴槽固定構造及びバックハンガーによれば、防水パン及び壁パネルという異なる厚さの部材を上下方向に接続したユニットバスにおける浴槽固定構造及びこの構造に用いられるバックハンガーを得られる効果がある。
【００１８】
本発明は、上下方向に接続された防水パンと壁パネルとを、曲げに対しても剛に固定することができる。
【発明を実施するための最良の形態】
【００１９】
本発明に係る浴室床の接続構造の実施の形態について、添付図面を参照して説明する。図１は、本発明に係る浴槽固定構造を備えるユニットバス１の防水パン２の概要を示す分解斜視図であり、図２は、このユニットバス１の浴槽短手方向縦断面図である。そして、図３は防水パン２の平面図である。
【００２０】
本実施形態に示された防水パン２は、洗い場部３と浴槽載置部４とに大別される。洗い場部３は、ＦＲＰやＳＭＣで成形され、浴槽載置部４と対向する辺以外の三方の外縁は、壁パネル６や図示しないドア枠を載置可能に同一レベルに形成され、浴槽載置部４と対向する辺の中央に設けられた洗い場排水凹部５を指向して下り勾配が形成されている。
【００２１】
浴槽載置部４は、ＥＰＰ、ＥＰＥ等のプラスチック系の材料を発泡成形させた断熱材で形成され、漏水を防止する外、浴槽内に溜められた湯の熱が浴槽裏面から伝導、放射することを防止する。この浴槽載置部４は、浴槽７の底面に位置する底部４１と、洗い場部３に対向する側を除く三方に、この底部の外縁から延出し浴槽７の上端周囲が外方へ拡開延出するリム７ａの高さ近くまで立設された側部４２とを備える。
【００２２】
この浴槽載置部４の底部４１の洗い場部３に対向する一辺の両端には、配管立ち上げ部４３，４３が設けられ、浴槽７への給水管・給湯管等の挿通孔の機能を果たす。また、底部４１の洗い場部３に対向する一辺の中央には、浴槽７からの排水を集水する浴槽排水部４４が設けられる。この浴槽排水部４４からの汚水は、洗い場排水凹部５からの汚水とともに、図示しない排水トラップへ集められた後、排水管を介して外部へと放出される。
【００２３】
一方、浴槽載置部４の側部４２には、図２及び図３に示すように、洗い場部３に対向する側を除く三方の略中段に段部４５が形成され、段部４５の谷側には小さな堤４６が設けられる。また、この段部４５には、図３において矢印で示すように、中央部から終端の配管立ち上げ部４３近傍まで下る排水勾配が設けられており、これにより、段部４５は、側溝の役割を果たす。
【００２４】
すなわち、浴槽７のリム７ａ外端と壁パネル６との間に万一隙間が生じ、この隙間から浴槽載置部４内に水が流れ込んでも、この水は段部４５で受け止められて段部４５の終端へと流され、底部４１へと溢れ出ることはない。これにより、点検しにくい浴槽７の下に汚水が溜まってカビ等が発生することが防止できる。また、段部終端に溜まった水は、浴槽エプロン９を取り外すことにより容易に点検清掃することができる。
【００２５】
また、側部４２上端には、比較的柔らかくて脆い部材で形成される浴槽載置部４の端部を欠損、そり、変形等を防止すると同時に、浴槽載置部４の上に壁パネル６を載置可能とする強度と平面を備える壁受け材８が外嵌される。また、この壁受け材８には、側部４２の各辺に２乃至３箇所バックハンガー９が取り付けられる。これらの詳細については後述する。
【００２６】
浴槽７は、保温性を有する材料により成型された内側断熱層１１を介して、浴槽載置部４上に載置される。また、浴槽７の洗い場部３側の側面には、これを掩蔽する浴槽エプロン１０が着脱自在に取設される。
【００２７】
次に、本発明の主要部を構成する浴槽固定構造の第１の実施形態について、図を参照して説明する。本実施形態においては、図４に示すように、浴槽載置部４の側部４２の頂部略全長に亘って、壁受け材８が横設され、この壁受け材８及びバックハンガー９により壁パネル６が挟持立設される。
【００２８】
壁受け材８は、硬質樹脂や金属の押出し材から形成され、略コ字状の外嵌部８ａの一つの角部から壁パネル支持部８ｂが延設され、全体としてｈ字状に形成される。この壁受け材８は、全体が一体として形成されても、幾つかの部分に分割されたものであってもよい。
【００２９】
外嵌部８ａは、浴槽載置部４の側部４２頂部に外嵌され、接着剤等により強固に固定される。また、外嵌部８ａの上面には、バックハンガー９の折曲部のＲ内に納まる大きさの突条８ｃが突設され、壁パネル６を載置するときのガイドの役割を果たす。この突条８ｃと壁パネル支持部８ｂとの間が、壁パネル６が載置される平面を構成する。
【００３０】
バックハンガー９は、ステンレス鋼板等の板材を折曲して構成され、中央部が壁パネル６に当接するように壁パネル６側に凸状となるように形成された凸部９ａを備える。そして、この凸部９ａの下端からは、浴槽載置部４の側部４１頂部に当接係合する形状の係合部９ｂが延出され、他方凸部９ａの上端からは、壁パネル６との間に上記リムが嵌挿可能な間隙を設けられる形状に折曲されたリム受け部９ｃが延出される。
【００３１】
壁パネル６の背面は、壁パネル支持部８ｂに当接する。そして、正面側にはバックハンガー９の凸部９ａが当接して、凸部９ａ及び係合部９ｂに穿設されたねじ孔からねじ１２が螺挿されて強固に挟持固定される。
【００３２】
なお、凸部９ａがねじ止めされ、浴槽７のリム７ａが壁パネル６とリム受け部９ｃとの間に嵌挿されれば、これにより、浴槽載置部４と、壁パネル６と、浴槽７とは剛に接合される。したがって、係合部９ｂのねじ止めは必須のものではないものの、壁パネル前後方向に加えられる力に対抗するには有効である。
【００３３】
図５は、バックハンガー９を介して浴槽載置部４と壁パネル６とが接合された後、浴槽７のリム７ａが壁パネル６とリム受け部９ｃとの間に嵌挿された状態を示す縦断面図である。この浴槽固定構造により、浴槽７は壁パネル６に固定されてがたつくことがなくなるとともに、浴槽７のリム７ａと壁パネル６との間の間隙が小さくなり、この間隙に目地材１３等が挿入されることにより、例えば浴槽７の溢れ湯等がこの間隙を伝って浴槽載置部４へ漏水することが防止される。
【００３４】
また、浴槽載置部４と壁パネル６との厚さが異なっても、これらを上下に強固に接合することが可能となる。特に、浴槽７という剛体に結合されることにより、浴槽載置部４と壁パネル６との接合部が、壁面を前後へ押したり引いたりする横方向の力に対して、屈曲することなく保持される。
【００３５】
さらに、本実施形態に係るバックハンガーは、単純に壁受け材に置くだけで高さ方向の位置が出るので、バックハンガー取り付けの位置出し作業を低減することができる。
【００３６】
続いて、本実施形態に係る浴槽固定構造の変形例を図６に示す。この変形例に係るバックハンガーは、同図に示すように、凸部９ａの下部と係合部９ｂとから成るバックハンガー９Ａと、凸部９ａの上部とリム受け部９ｃとからなるバックハンガー９Ｂの２部材で構成される点で、上述した実施形態におけるものと基本的に相違し、他の構成は実施形態と実質的に同じであり、同じ符号を付して説明を省略する。
【００３７】
このようにバックハンガーを一体ではなく２部材に分割しても同様の効果を得ることができるのみならず、バックハンガーの加工も容易となり、また、汎用性も高くなるという長所がある。
【００３８】
図７は、本発明に係る浴槽固定構造の他の変形例を示すものである。この変形例に係るバックハンガーは、同図に示すように、浴槽載置部４の側部４ａ頂部が浴槽７のリム７ａよりある程度低い位置にある点で、上述した実施形態におけるものと基本的に相違し、他の構成は実施形態と実質的に同じであり、同じ符号を付して説明を省略する。
【００３９】
このような場合であっても、バックハンガー９Ｃの凸部９ａを長く形成し、ねじ止めの本数を追加することにより、本実施形態と同様の効果を得ることができる。このとき、図６に示したように、バックハンガーを２部材に分割することも可能である。
【００４０】
次に、本発明に係る浴槽固定構造の第２の実施形態について、図８を参照して説明する。本実施の形態の浴槽固定構造は、同図に示すように、バックハンガー９Ｄが凸部９ａを備えない点で、第１の実施形態におけるものと基本的に相違し、他の構成は第１の実施形態と実質的に同じであり、同じ符号を付して説明を省略する。
【００４１】
上述のように、バックハンガー９Ｄは凸部９ａを備えず、係合部９ｂとリム受け部９ｃとが直接接続され、バックハンガー９Ｄは、ねじ１２により浴槽載置部４の側部４２頂部のみに固定される。
【００４２】
そして、壁パネル６は、ねじ固定されることなく、浴槽７のリム７ａと壁受け材８の壁パネル支持部８ｂとに挟持された形で立設される。この構造によっても、防水パン及び壁パネルという異なる厚さの部材を上下方向に接続するという本発明の目的を達成することができる。
【００４３】
また、この接続構造によれば、壁面を前後へ押したり引いたりする横方向の力に対しては第１の実施形態におけるものの方が優れるが、壁パネル６を固定するねじ止め作業が不要になるので施工性が向上するという長所がある。
【００４４】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【００４５】
例えば、図９に示す例のように、防水パン２の浴槽載置部４に機能性材料を採用せず、従来型の防水パンに外側断熱層１４を設ける場合であっても、壁パネル６にこのバックハンガー９を取り付け、外側断熱層１４足元の防水パン２に突起１５を立設させれば、外側断熱層１４取り付けのガイドになり、したがって、外側断熱層１４の取り付けを容易に行うことが可能となる。
【図面の簡単な説明】
【００４６】
【図１】本発明に係る接続構造を備えるユニットバスの概要を示す分解斜視図。
【図２】第１の実施形態に係るユニットバスの浴槽短手方向縦断面図。
【図３】第１の実施形態に係る防水パンの平面図。
【図４】第１の実施形態に係る固定構造を示す斜視図。
【図５】第１の実施形態に係る固定構造を示す縦断面図。
【図６】第１の実施形態に係るバックハンガーの変形例を示す縦断面図。
【図７】第１の実施形態に係るバックハンガーの他の変形例を示す縦断面図。
【図８】本発明に係る接続構造の第２の実施形態を示す断面図。
【図９】第１の実施形態に係るバックハンガーの応用例を示す縦断面図。
【符号の説明】
【００４７】
１  ユニットバス
２  防水パン
３  洗い場部
４  浴槽載置部
５  洗い場凹部
６  壁パネル
７  浴槽
７ａ  リム
８  壁受け材
８ａ  外嵌部
８ｂ  壁パネル支持部
８ｃ  突条
９，９Ａ，９Ｂ，９Ｃ，９Ｄ  バックハンガー
９ａ  凸部
９ｂ  係合部
９ｃ  リム受け部
９ｄ  ねじ孔
１０  浴槽エプロン
１１  内側断熱層
１２  ねじ
１３  目地材
１４  外側断熱層
１５  突起
４１  底部
４２  側部
４３  配管立ち上げ部
４４  浴槽排水部
４５  段部
４６  堤
【図１】
2006192207.tif 000003
【図２】
2006192207.tif 000004
【図３】
2006192207.tif 000005
【図４】
2006192207.tif 000006
【図５】
2006192207.tif 000007
【図６】
2006192207.tif 000008
【図７】
2006192207.tif 000009
【図８】
2006192207.tif 000010
【図９】
2006192207.tif 000011